(57)【特許請求の範囲】
【請求項１】
携帯電話保持用の本体の一方の端部には該本体の長手方向にスライド可能なスライド部が備えられており、スライド部の端部には収納された携帯電話を支えるための電話支持脚が回動可能に備えられており、該電話支持脚は本体の長手方向に垂直な平面内で取付角度が変更可能であることを特徴とする電話ホルダー。
【発明の詳細な説明】
【０００１】
【発明の属する技術分野】
本発明は自動車内で携帯電話（ＰＨＳも含む）を保持するための電話ホルダーに関するものであり、特に垂直面に取り付けても水平面に取り付けても使用が容易な電話ホルダーに関する。
【０００２】
【従来の技術】
近年では携帯式の電話の普及が著しい。それに伴い自動車内で携帯電話を保持する電話ホルダーも種々販売されている。
【０００３】
代表的なものとしては、図６に示すようにカーエアコンの吹き出し口のルーバー等に取り付けて携帯電話を縦向きに差し入れて保持させるタイプのものや、ダッシュボード上に両面テープや面ファスナーで取り付けて携帯電話を横向きに差し入れて保持させるタイプのものがある。
【０００４】
縦向きに保持するタイプのものは本体(20)の下部に携帯電話の底部を支えて下方に落下するのを防止するための２本の電話器支持脚(22)を備えている。(21)は携帯電話の側方を抱えるアーム部である。一方、横向きに保持するタイプのものは、いずれの側からも差し入れや取り出しができるように電話器支持脚は有していない。
【０００５】
そのため、メーカーはそれぞれの取り付けに適した電話ホルダーを別途製造，保管しなければならず量産する上で不利であり、在庫管理も複雑なものとなる。また、電話ホルダーの使用者も取り付け方を変えたい場合は、別のタイプの電話ホルダーを更に買い求めなければならず経済的ではない。
【０００６】
ところで、携帯電話はますます小型化し、縦向きに保持するタイプの場合には、携帯電話の底部と当接して支持する２本の支持脚(22)の間から携帯電話が抜け落ちてしまうことがある。
【０００７】
【発明が解決しようとする課題】
そこで、使用者の好みにより携帯電話を縦向きでも横向きでも保持することができ、縦向きに保持する場合には携帯電話が小型であっても抜け落ちることのない車載用の電話ホルダーが求められている。
【０００８】
【課題を解決するための手段】
本発明の電話ホルダーは、携帯電話保持用の本体(1)の一方の端部には本体(1)の長手方向にスライド可能なスライド部(2)が備えられており、スライド部(2)の端部には収納された携帯電話を支えるための電話支持脚(3)が回動可能に備えられており、該電話支持脚(3)は本体(1)の長手方向に垂直な平面内で取付角度が変更可能であることを特徴とする。
【０００９】
これによれば、電話支持脚(3)の取り付け角度を変えることにより縦向きに取り付ける場合でも横向きに取り付ける場合でも１つの電話ホルダーで対応することができる。また、縦向きに取り付けた場合に携帯電話が小型であっても電話支持脚(3)を斜めの位置に固定することにより携帯電話の底部をしっかりと支持することができ、電話ホルダーの下方に抜け落ちることがない。又、長さが異なる携帯電話であっても、スライド部(2)をスライドさせることにより対応することができる。
【００１０】
【発明の実施の形態】
以下、本発明を好適な実施例を用いて説明する。
［実施例１］
図１は本実施例の構成部品を示した図である。
【００１１】
(1)はアーム部(1a)を有する本体である。スライド部(2)は貫通長穴(2a)を有し、その貫通長穴(2a)を貫通するビス(6)とナット(7)により本体(1)に取り付けられている。ビス(6)を緩めるとスライド部(2)を本体の長手方向にスライドさせて引き出し量を調整することができる。(3)は電話支持脚であり、スライド部(2)の端部にローレットネジ(4)で取り付けられている。ローレットネジ(4)を緩めることによりスライド部(2)に対して電話支持脚(3)を回転させることができる。すなわち、電話支持脚(3)は本体の長手方向と垂直な面内で回転することができ、ローレットネジ(4)を締め付けて任意の角度で固定することができる。
【００１２】
電話ホルダーをダッシュボード上に設置して横向きに使用する場合には図２に示すように電話支持脚(3)と本体(1)との角度を０°（本体と支持脚が面一の状態）とする。すると、電話支持脚(3)が邪魔になることなく携帯電話はいずれの側からも差し入れたり取り出したりすることができる。
【００１３】
電話ホルダーを水平に横向きに取り付けた場合は、重力により携帯電話が電話ホルダーのいずれかの側から抜け落ちてしまうことはないが、自動車の旋回等により水平方向に力がかかった際に滑って抜け落ちないように、本体(1)の携帯電話との接触面にゴムやスポンジ(5)等を配して滑りにくいようにするとよい。
【００１４】
エアコンの吹き出し口のルーバーに取り付ける場合のように電話ホルダーを縦向きに使用する場合は、図３に示すように支持脚(3)と本体(1)との角度を９０°（本体と支持脚が直角の状態）とすると携帯電話の底部が支持脚(3)と当接して、携帯電話を支えることができる。
【００１５】
携帯電話が小さくて支持脚(3)と本体(1)との角度を９０°としたのでは抜け落ちるような場合には角度を３０°，４５°，６０°等にすれば支持脚(3)が斜めになり携帯電話が小さくてもその底部を支持することができる。
【００１６】
［実施例２］
本実施例も電話支持脚(13)の取り付け角度を変えることができる点では実施例１と同様であるが、スライド部(12)と電話支持脚(13)の固定方法が異なる。図４は本実施例の構成部品を示した図である。
【００１７】
スライド部(12)は表面に波形の凹凸(12a)を有しており、通常はこの凹凸(12a)が本体側に設けられたロック機構(図示せず)の歯部と噛み合ってスライド部(12)を移動させることはできない。しかし、電話ホルダー裏面のロック解除ボタンを押すとロック機構の歯部が凹凸(12a)から離れてロック解除状態となり、スライド部(12)を移動させることができる。
【００１８】
電話支持脚(13)はビス(14)やコインネジ（溝にコインを差し入れて回すことのできるネジ）でスライド部(12)の端部に取り付けられている。また、スライド部(12)の電話支持脚(13)と接する端面には縦，横，斜めに放射線状にＶ溝(12b)が切られており、一方電話支持脚(13)のスライド部(12)と接する端面には前記のＶ溝(12b)に係合する一条の歯部(13a)を有している。
【００１９】
したがって、ビス(14)等が締め付けられているときにはＶ溝(12b)と歯部(13a)が噛み合って、電話支持脚(13)はスライド部(12)に対して固定されるが、ビス(14)等を緩めた状態ではＶ溝(12b)と歯部(13a)との間に間隙が生じ、電話支持脚(13)はスライド部(12)に対して任意に回転させることができる。そして、再びビス(14)等が締め付けることにより電話支持脚(13)を固定することができる。
【００２０】
［実施例３］
図５は実施例３の構成部品を示した図である。上記の実施例１、実施例２ではスライド部は本体の長手方向にスライドするだけで、本体の長手方向に垂直な方向の回転はしなかったが、本実施例では電話支持脚(3)とスライド部(32)とが固定されていてスライド部(32)が本体(1)に対して回転することにより電話支持脚(3)の本体に対する角度を調整できるようにしている。
【００２１】
本実施例のスライド部(32)は円柱状であり、ビス(36)を締め付けない状態ではスライド及び回転が可能であり、スライド部(32)の回転により電話支持脚(3)が本体の長手方向と垂直な面で回転する。ビス(36)を締め付けるとスライド部(32)がスライド及び回転ができないように固定することができ、電話支持脚(3)の本体(1)に対する角度も固定される。
【００２２】
尚、本発明は携帯電話の側方を抱えるアームの形状等は特に限定しないので、携帯電話の幅に合わせてアーム間隔を調整できるようなものであってもよい。又、各実施例ではスライド部は本体の下端の一方の端部付近に設けたが、下端の中心付近（図５の点線部参照）に設けても良い。
【００２３】
【発明の効果】
以上述べたように本発明により、使用者の好みにより携帯電話を縦向きでも横向きでも保持することができ、縦向きに保持する場合には携帯電話が小型であっても抜け落ちることのない車載用の電話ホルダーを提供することができた。
【図面の簡単な説明】
【図１】実施例１の構成部品を示した図。
【図２】実施例１を示した図（電話支持脚を本体に対して０°にした状態）。
【図３】実施例１を示した図（電話支持脚を本体に対して９０°にした状態）。
【図４】実施例２の構成部品を示した図。
【図５】実施例３の構成部品を示した図。
【図６】従来の電話ホルダーを示した図。
【符号の説明】
(1)  本体
(2)  スライド部
(3)  電話支持脚
(4)  ローレットネジ
(5)  スポンジ
【図１】
0003801754.tif 000002
【図２】
0003801754.tif 000003
【図３】
0003801754.tif 000004
【図４】
0003801754.tif 000005
【図５】
0003801754.tif 000006
【図６】
0003801754.tif 000007